(57)【要約】      （修正有）【課題】病気等で右、又は左半身不随等で歩行が困難な人が、自分の利き腕で可動して歩ける、自立歩行訓練機具を提供する。【解決手段】差し込みプレート４、４ａを筒状の連結バー１１，１２で連結し、ハンドル６と、プレート１５、２８、３０、ネジロット１６、１６ａ、１６ｂ、１６ｃ、１６ｅ、タンバックル１９、１９ａ、１９ｂ、靴受けプレート３２を連結し、腰ベルトの両側に設けた差し込み受具に接合して、麻痺した足を反対側の利き腕でハンドルを可動して足を上げて前方に移動が可能な自立歩行訓練機具。【選択図】図１
2019022641.tif 000002
【特許請求の範囲】
【請求項１】
腰ベルトの背面に設けた肩掛け吊りバンドと両側面に設けた、差し込み受具に、筒状の連絡バーの片側に、差し込みプレートが、スライドが可能に設け、反対側には、後方に向けた固定プレートと差し込みプレートを設け、前記差し込み受具に接合し、前記肩掛け吊りバンドを前記差し込みプレートに掛け前記固定プレートから膝の関節の位置まで、プレートと切り欠けストッパー付きプレートを設け、タンバックル等で調整し可動するように設け、前記膝の関節の位置から靴受けプレートまで、ストッパーピン付きプレートを設け、タンバックル等で調整し前記筒状の連結バーの内側に筒状の連絡バーを通し前記固定プレート側に、連絡プレートを下方向に向け固定し、外側にリハビリ用ハンドルを、前方向に向け設け、前記筒状の連絡バーの反対側に折りたたみハンドルを設け、前記連絡プレートの端部から膝の関節の位置まで、プレートとタンバックル等で調整し、前記固定プレートから前記靴受プレートまで前記膝の関節の位置で曲がらないように、前記固定プレートから連なる前記切り欠けストッパー付きプレートと、前記連絡プレートから連なるプレートと前記靴受けプレートから連なる前記ストッパーピン付きプレートを可動するように結合してなる、自立歩行訓練機具。
【発明の詳細な説明】
【技術分野】
【０００１】本発明は、病気等で、右半身又は、左半身不随等で
2019022641.tif 000003
歩行訓練が可能な、自立歩行訓練機具に関するものである。
【背景技術】
【０００２】従来の歩行訓練は、患者の膝、足首等を、サポータ等で固定して、膝を伸ばした状熊で体を回転させる力を利用して、麻痺した足を前に出して歩行していた。【０００３】リハビリー施設等での歩行訓練は、３ヶ月過ぎると自宅での生活に戻り、施設の職員が出向いて行うか、週に何回か通って、訓練を受けていた。自立歩行訓練機具を使えば家族の負担軽減に期待ができるのと行動範囲が広くなる。
【発明の開示】
【発明が解決しようとする課題】
【０００４】本発明の課題は、膝を伸ばした状態で歩くので少しの段差があると、本人には、大きな負担であった。その観点から、利き腕でハンドルを引きおこせば麻痺した足を上げる事ができる、自立歩行訓練機具を提供することにある。
【課題を解決するための手段】
【０００５】差し込みプレートに、ハンドルと、プレート、ネジロット、タンバックル、靴受けプレートを連結したものを、腰ベルトの両側に設けた差し込み受具に、接合して、麻痺した足を反対側の利き腕で、ハンドルを引きおこせば、足を上げて前方に移動が可能になった結果、本発明をなすに至ったものである。
【発明の効果】
【０００６】本発明の自立歩行訓練機具は、自宅での歩行訓練が可能になり、少しの段差でも負担にならなくなり行動範囲が広くなる可能性が期待できる。
【図面の簡単な説明】
【０００７】
【図１】本発明の全体の斜視図。
【図２】本発明のハンドル可動時の斜視図。
【図３】本発明の図３（ａ）は右側斜視図、図３（ｂ）は折りたたみハンドルの可動時斜視図  図３（ｃ）は、差し込受具斜視図。
【発明を実施するための形態】
【０００８】次に本発明の実施の形態について設明する。
【０００９】腰ベルト１の両側面に、ロックレバー２の付いた位置の調整が可能な差し込み受具３、３ａと、ベルト背面部に肩掛吊りバンド８ｂ８ｃを設ける。
【００１０】外側筒状の連結バー１１の片側に肩掛け吊りバンド８ａと、ロックピン５を設けた差し込みプレート４を設け、その外側に固定プレート１３を平行に設ける。片方にはスライドカラー９の外側に、ロックピン５ａと肩掛け吊りバンド８を設けた差し込みプレート４ａを設け、内側には、ロックボルト１０を設ける。
差し込みプレート４ａはスライドカラー９、で差し込みプレート４と４ａの間の調整ができる。
【００１１】外側筒状の連結バー１１にスライドカラー９側の先端に切り欠け付ストッパープレート７を、切り欠け部を前方行の位置に設ける。
【００１２】内側筒状の連絡バー１２の端部に折りたたみ付ハンドル６を設け、切り欠け付きプレート７側から外側筒状の連結バー１１に通し、切り欠け付きストッパープレート７の、切り欠け部に、折りたたみ用プレート６ａが差し込まれるように設け、片方は端部が出るように設ける。
【００１３】内側筒状の連絡バー１２の端部の出た部分に、連絡プレート２３を下向きで固定して設けその外側にリハビリ用ハンドル２２を前向きで固定して設ける。
【００１４】プレート１５と切り欠けストッパー付きプレート２８の間に長さの調整ができるように、ネジロット、１６、１６ａ、タンバックル１９を設け、調整後固定するためのロック用ナット１７、１７ａ、平ワッシャー１８、１８ａを設け、ネジロット１６ａに脚部から機具が離れないようにバンド２０を設け、着脱が容易にできるようにマジックテープ２１を設ける。固定プレート１３にプレート１５を、ボルト１４で可動するように設ける。
【００１５】プレート２４とプレート２６の間に長さの調整ができるようにネジロット１６ｂ１６ｃ、タンバックル１９ａを設け調整後固定するための、ロック用ナット１７ｂ、１７ｃ、平ワッシャー１８ｂ、１８ｃを設け、プレート２４を連絡プレート２３にボルト２５で可動するように設ける。
【００１６】固定プレート１３から連結する、切り欠けストッパー付きプレート２８と連絡プレート２３から連結するプレート２６に、ストッパー付きプレート３０を可動するようにボルト、ナット２７で接合し、ストッパーピン付きプレート３０の下部に長さの調整が可能なネジロット１６ｄ、タンバックル、１９ｂを設け、調整後、固定するための、ロック用ナット１７ｄ、１７ｅ、平ワッシャー１８ｄ、１８ｅを設け、ネジロット１６ｄに脚部から機具が離れないようにバンド２０ａを設け着脱が容易にできるマジックテープ２１ａを設ける。
【００１７】固定プレート１３から連結するロットネジ１６ｅの端部に靴用バンド３１と足首用バンド３３を設けた靴受けプレート３２を固定する。
本発明は、以上のような構造である。
これを使用すると、自宅での歩行訓練が可能になり、少しの段差でも負担にならなくなり行動範囲が広くなるのが期待できる。
【符号の説明】
【００１８】１、腰ベルト、２、ロックレバー、３、３ａ、位置の調整が可能な差し込み受具、４、４ａ、差し込みプレート、
５、５ａロックピン、６折りたたみ付ハンドル、６ａ折りたたみ用プレート
７、切り欠け付ストッパープレート、８、８ａ、８ｂ、８ｃ  肩掛吊りバンド、９、スライドカラー、１０  ロックボルト
１１、筒状の連結バー、１２、筒状の連絡バー、
１３、固定プレート、１４、ボルト、１５、プレート
１６、１６ａ、１６ｂ、１６ｃ、１６ｄ、１６ｅ、ネジロット、
１７、１７ａ、１７ｂ、１７ｃ、１７ｄ、１７ｅ、ナット、
１８、１８ａ、１８ｂ、１８ｃ、１８ｄ、１８ｅ、平ワッシャー、
１９、１９ａ、１９ｂ、タンバックル、
２０、２０ａ、バンド
２１、２１ａ、マジックテープ
２２、リハビリ用ハンドル、２３、連絡プレート、
２４、プレート、２５、ボルト、２６、プレート、
２７、ボルトナット  ２８、切り欠けストッパー付プレート、
２９、ストッパーピン、３０、ストッパーピン付プレート、
３１、靴用バンド、３２、靴受プレート、
３３  足首用バンド
【図１】
2019022641.tif 000004
【図２】
2019022641.tif 000005
【図３】
2019022641.tif 000006